(57)【要約】【課題】表示面から背面側が透けて見える透過状態と、表示面から背面側が透けて見えない画像表示状態との間の切り替えをより効果的に行う。【解決手段】表示装置は、表示パネルと、光源を備え、表示パネルの表示面と反対の背面側から光源の光を照射する照明部と、表示面を観察する観察者が周囲に存在するか否かを検出する検出部と、表示パネルに表示すべき画像データと、検出部の検出結果とに基づいて、表示パネルの画素の透過率と光源とを制御する表示制御部と、を備える。表示パネルの背面側は透過可能である。表示制御部は、光源を点灯して表示領域にカラー画像を表示する第１の表示モードと、光源を消灯し、表示領域の少なくとも一部の領域において表示パネルの背面が透けて見える透過領域を含む透過光画像を表示する第２の表示モードとを有し、観察者が検出された場合に、第２の表示モードに切り替える。【選択図】図５
2019128553.tif 000002
【特許請求の範囲】
【請求項１】
複数の画素を含む表示領域を有する表示パネルと、
光源を備え、前記表示パネルの表示面と反対の背面側から前記光源の光を照射する照明部と、
前記表示面を観察する観察者が周囲に存在するか否かを検出する検出部と、
前記表示パネルに表示すべき画像データと、前記検出部の検出結果とに基づいて、前記表示パネルの画素の透過率と前記光源とを制御する表示制御部と、を備え、
前記表示パネルの背面側は透過可能に構成されており、
前記表示制御部は、前記光源を点灯して前記表示領域にカラー画像を表示する第１の表示モードと、前記光源を消灯し、前記表示領域の少なくとも一部の領域において前記表示パネルの背面が透けて見える透過領域を含む透過光画像を表示する第２の表示モードとを有し、前記検出部において前記観察者の存在が検出された場合、前記第２の表示モードに切り替える、表示装置。
【請求項２】
前記表示制御部は、前記検出部で前記観察者が検出されていない期間において、前記第１の表示モードと前記第２の表示モードとを一定時間ごとに切り替える、請求項１に記載の表示装置。
【請求項３】
前記第１の表示モードで表示されるカラー画像と、前記第２の表示モードで表示される透過光画像は、同じ画像データに基づく画像である、請求項２に記載の表示装置。
【請求項４】
前記第１の表示モードで表示されるカラー画像と、前記第２の表示モードで表示される透過光画像は、互いに異なる画像データに基づく画像である、請求項２に記載の表示装置。
【請求項５】
前記表示制御部は、前記第１の表示モードにおいて、前記表示領域における前記少なくとも一部の領域に白色の画像を表示し、
前記白色の画像を表示するときの前記少なくとも一部の領域の画素の透過率と、前記透過光画像を表示するときの前記少なくとも一部の領域の透過率は同じである、請求項１から４のいずれか一項に記載の表示装置。
【請求項６】
前記光源は、互いに異なる複数の色で発光可能であり、
前記表示制御部は、１フレームを分割したサブフィールドのそれぞれにおいて表示する複数のサブフィールド画像を前記画像データに基づいて生成し、前記第１の表示モードにおいて前記カラー画像を表示する際、前記サブフィールドごとに前記光源の発光色を切り替える、請求項１から５のいずれか一項に記載の表示装置。
【請求項７】
前記表示制御部は、前記光源の複数の色のそれぞれに対応する前記複数のサブフィールド画像に加え、前記複数の色の混合色に対応するサブフィールド画像を生成し、
前記第１の表示モードにおいて表示するサブフィールド画像の生成において、前記複数のサブフィールド画像のそれぞれの階調値を、前記混合色のサブフィールド画像の階調値に応じて変更し、前記第２の表示モードにおいて表示するサブフィールド画像の生成において、前記複数のサブフィールド画像のそれぞれの階調値は変更しない、請求項６に記載の表示装置。
【発明の詳細な説明】
【技術分野】
【０００１】
本発明は、表示装置に関する。
【背景技術】
【０００２】
従来より、画素の透過率を制御することにより表示面から背面側が透けて見える透過型ディスプレイを、ショーケースや自動販売機等の内部の商品を広告するためのディスプレイとして用いる技術が提案されている（特許文献１〜３参照）。このような透過型ディスプレイの表示パネルは、ショーケースや自動販売機等の前面パネルの裏面に設けられ、ショーケースや自動販売機等の内部の商品が表示パネルを通して透けて見える透過状態と、内部の商品が透けて見えないように静止画や動画を表示する画像表示状態とを切り替え可能になっている。
【先行技術文献】
【特許文献】
【０００３】
【特許文献１】特開２００３−１２２２８６号公報
【特許文献２】再表２０１４／１３６５８６号公報
【特許文献３】特開２０１７−１１１３１３号公報
【発明の概要】
【発明が解決しようとする課題】
【０００４】
デジタルサイネージとして特許文献１〜３のような透過型ディスプレイを用いる場合、ショーケースや自動販売機等の内部の商品を広告宣伝するために、透過状態と画像表示状態をより効果的に切り替える必要がある。
【０００５】
本発明は、透過状態と画像表示状態とを切り替え可能な透過型の表示装置において、透過状態と画像表示状態の切り替えをより効果的に行い得る技術を提供することを目的とする。
【課題を解決するための手段】
【０００６】
本発明の一実施形態における表示装置は、複数の画素を含む表示領域を有する表示パネルと、光源を備え、前記表示パネルの表示面と反対の背面側から前記光源の光を照射する照明部と、前記表示面を観察する観察者が周囲に存在するか否かを検出する検出部と、前記表示パネルに表示すべき画像データと、前記検出部の検出結果とに基づいて、前記表示パネルの画素の透過率と前記光源とを制御する表示制御部と、を備え、前記表示パネルの背面側は透過可能に構成されており、前記表示制御部は、前記光源を点灯して前記表示領域にカラー画像を表示する第１の表示モードと、前記光源を消灯し、前記表示領域の少なくとも一部の領域において前記表示パネルの背面が透けて見える透過光画像を表示する第２の表示モードとを有し、前記検出部において前記観察者の存在が検出された場合、前記第２の表示モードに切り替える。
【発明の効果】
【０００７】
本発明によれば、透過状態と画像表示状態とを切り替え可能な透過型の表示装置において、透過状態と画像表示状態の切り替えをより効果的に行うことができる。
【図面の簡単な説明】
【０００８】
【図１】図１は、実施形態における表示装置の概略構成を示す模式図である。
【図２Ａ】図２Ａは、図１に示す表示装置の表示面に垂直な面の断面図である。
【図２Ｂ】図２Ｂは、図１に示す表示装置の表示面に垂直な面の断面図である。
【図３】図３は、図１に示す画像処理部の構成例を示す機能ブロック図である。
【図４】図４は、６０Ｈｚで１フレームごとに映像信号が入力される場合のサブフィールド画像の表示、及び光源の点灯タイミングを示すタイミングチャートである。
【図５】図５は、第１実施形態における表示装置の画像表示処理の動作を示すフローチャートである。
【図６Ａ】図６Ａは、第１実施形態における表示装置の利用態様を例示した図であって、カラー画像表示モードの場合の表示態様を示す模式図である。
【図６Ｂ】図６Ｂは、第１実施形態における表示装置の利用態様を例示した図であって、透過光画像表示モードの場合の表示態様を示す模式図である。
【図７Ａ】図７Ａは、第２実施形態におけるカラー画像表示モードの表示態様を示す模式図である。
【図７Ｂ】図７Ｂは、第２実施形態における透過光画像表示モードの表示態様を示す模式図である。
【図８】図８は、変形例（１）における画像データ生成部の構成例を示すブロック図である。
【図９】図９は、変形例（２）におけるカラーフィルタ方式の表示装置の構成例を示す断面図である。
【図１０】図１０は、変形例（３）における直下型のバックライトを用いた表示装置の構成例を示す断面図である
【発明を実施するための形態】
【０００９】
本発明の一実施形態における表示装置は、複数の画素を含む表示領域を有する表示パネルと、光源を備え、前記表示パネルの表示面と反対の背面側から前記光源の光を照射する照明部と、前記表示面を観察する観察者が周囲に存在するか否かを検出する検出部と、前記表示パネルに表示すべき画像データと、前記検出部の検出結果とに基づいて、前記表示パネルの画素の透過率と前記光源とを制御する表示制御部と、を備え、前記表示パネルの背面側は透過可能に構成されており、前記表示制御部は、前記光源を点灯して前記表示領域にカラー画像を表示する第１の表示モードと、前記光源を消灯し、前記表示領域の少なくとも一部の領域において前記表示パネルの背面が透けて見える透過領域を含む透過光画像を表示する第２の表示モードとを有し、前記検出部において前記観察者の存在が検出された場合、前記第２の表示モードに切り替える（第１の構成）。
【００１０】
第１の構成によれば、周囲に表示面を観察する観察者がいるか否かを検出部で検出する。表示パネルの背面側は透過可能に構成され、表示装置は、光源を点灯して表示領域にカラー画像を表示する第１の表示モードと、光源を消灯して、表示領域の少なくとも一部の領域において表示パネルの背面が透けて見える透過光画像を表示する第２の表示モードとを有する。表示装置は、観察者が検出された場合に、第２の表示モードに切り替える。そのため、例えば、表示パネルがショーケースや自動販売機等の前面パネルの裏面に設けられている場合、ショーケースや自動販売機等の内部に配置された展示物を、周囲の観察者に対して効果的に見せることができ、広告宣伝効果を高めることが可能となる。
【００１１】
第１の構成において、前記表示制御部は、前記検出部で前記観察者が検出されていない期間において、前記第１の表示モードと前記第２の表示モードとを一定時間ごとに切り替えることとしてもよい（第２の構成）。
【００１２】
第２の構成によれば、観察者が検出されていない期間は、第１の表示モードによるカラー画像の表示と、第２の表示モードによる透過光画像の表示とが一定時間ごとに切り替えられる。そのため、カラー画像のみを表示している場合と比べて、表示画面に注意を引きつけやすくなる。
【００１３】
第１の構成において、前記第１の表示モードで表示されるカラー画像と、前記第２の表示モードで表示される透過光画像は、同じ画像データに基づく画像であることとしてもよい（第３の構成）。
【００１４】
第３の構成によれば、１つの画像データから表示態様が異なるカラー画像と透過光画像とを表示することができるので、表示画面に周囲の関心を引きつけやすくすることができる。
【００１５】
第１から第３のいずれかの構成において、前記第１の表示モードで表示されるカラー画像と、前記第２の表示モードで表示される透過光画像は、互いに異なる画像データに基づく画像であることとしてもよい（第４の構成）。
【００１６】
第４の構成によれば、同じ画像データを基にしたカラー画像と透過光画像を表示する場合と比べ、表示内容のバリエーションが増え、広告宣伝効果がより高い画像を表示することができる。
【００１７】
第１から第４のいずれかの構成において、前記表示制御部は、前記第１の表示モードにおいて、前記表示領域における前記少なくとも一部の領域に白色の画像を表示し、前記白色の画像を表示するときの前記少なくとも一部の領域の画素の透過率と、前記透過光画像を表示するときの前記少なくとも一部の領域の透過率は同じであることとしてもよい（第５の構成）。
【００１８】
第５の構成によれば、第１の表示モードにおいて白色の画像が表示される領域は、第２の表示モードにおいて、表示パネルの背面が透けて見える透過領域となる。そのため、光源の点灯と消灯を制御することで、少なくとも一部の領域を白色で表示したり、透明に表示したりすることができる。
【００１９】
第１から第５のいずれかの構成において、前記光源は、互いに異なる色で発光可能であり、前記表示制御部は、１フレームを分割したサブフィールドのそれぞれにおいて表示する複数のサブフィールド画像を前記画像データに基づいて生成し、前記第１の表示モードにおいて前記カラー画像を表示する際、前記サブフィールドごとに前記光源の発光色を切り替えることとしてもよい（第６の構成）。
【００２０】
第６の構成によれば、カラーフィルタを用いることなく、フィールドシーケンシャル方式でカラー画像を表示することができる。また、カラーフィルタが設けられないため、第２の表示モードにおける透過光画像の表示の際、透過領域の透明度を上げることができる。
【００２１】
第６の構成において、前記表示制御部は、前記光源の複数の色のそれぞれに対応する前記複数のサブフィールド画像に加え、前記複数の色の混合色に対応するサブフィールド画像を生成し、前記第１の表示モードにおいて表示するサブフィールド画像の生成において、前記複数のサブフィールド画像のそれぞれの階調値を、前記混合色のサブフィールド画像の階調値に応じて変更し、前記第２の表示モードにおいて表示するサブフィールド画像の生成において、前記複数のサブフィールド画像のそれぞれの階調値は変更しないこととしてもよい（第７の構成）。
【００２２】
第７の構成によれば、第１の表示モードでカラー画像を表示する際には、混合色に対応するサブフィールド画像の階調値に応じて各色のサブフィールド画像の階調値を変更することにより色割れを軽減することができる。また、第２の表示モードで透過光画像を表示する際には、各色のサブフィールド画像の階調値を変更しないことにより、背面が透けて見える透明領域の透明度を向上させることができる。
【００２３】
以下、図面を参照し、本発明の実施の形態を詳しく説明する。図中同一または相当部分には同一符号を付してその説明は繰り返さない。なお、説明を分かりやすくするために、以下で参照する図面においては、構成が簡略化または模式化して示されたり、一部の構成部材が省略されたりしている。また、各図に示された構成部材間の寸法比は、必ずしも実際の寸法比を示すものではない。
【００２４】
＜第１実施形態＞
図１は、本実施形態における表示装置の概略構成を示す模式図である。表示装置１は、画素の透過率を制御することによって、表示面から背面側が透けて見える透過状態と、表示面から背面側が透けて見えないように画像を表示する画像表示状態とを切り替え可能な液晶表示装置である。以下、表示装置１の構成について具体的に説明する。
【００２５】
表示装置１は、表示制御部１０、表示パネル１１、ゲートドライバ１２、ソースドライバ１３、駆動制御回路１４、バックライト１５、バックライト制御回路１６、及び検出部２０を備える。
【００２６】
表示制御部１０は、映像信号入力部１０ａと画像処理部１０ｂとを含む。映像信号入力部１０ａは、検出部２０と接続されている。
【００２７】
映像信号入力部１０ａは、検出部２０の検出結果に応じた映像信号を画像処理部１０ｂに入力する。映像信号の詳細については後述する。
【００２８】
画像処理部１０ｂは、映像信号入力部１０ａから入力される映像信号に基づいて、表示パネル１１に画像を表示させるための制御信号を生成し、駆動制御回路１４及びバックライト制御回路１６へ入力する。画像処理部１０ｂの具体的な構成については後述する。
【００２９】
検出部２０は、表示装置１の周囲に表示画面を観察する観察者が存在するか否かを検出する。具体的には、検出部２０は、例えば測距センサーを有する。検出部２０は、測距センサーにおいて所定距離の範囲内に人物が存在するか否かを検出し、検出された人物を観察者として検出する。
【００３０】
表示パネル１１は、液晶を用いた表示パネルである。表示パネル１１には、複数のゲート線１１０と複数のソース線１１１とで規定される複数の画素がマトリクス状に形成されている。画素は、ゲート線１１０とソース線１１１とに接続された薄膜トランジスタ（ＴＦＴ）１１３と、ＴＦＴ１１３と接続された画素電極１１４とを有する。
【００３１】
ゲート線１１０は、ゲートドライバ１２と接続され、ソース線１１１は、ソースドライバ１３と接続されている。ゲートドライバ１２とソースドライバ１３は駆動制御回路１４と接続されている。
【００３２】
ゲートドライバ１２は、駆動制御回路１４からのタイミング信号やクロック信号等の制御信号に基づいて、各ゲート線１１０を順次走査する。ソースドライバ１３は、駆動制御回路１４からのタイミング信号と画像信号に基づき、各ソース線１１１に画像信号に応じた電圧を印加する。ゲート線１１０が走査されるタイミングで、ゲート線１１０と接続されたＴＦＴ１１３がオン状態となり、ソース線１１１に供給される電圧が画素電極１１４に印加され、画素における液晶分子の配向が制御される。
【００３３】
バックライト１５は、光源１５０と導光板１５１とを含む。光源１５０は、赤（Ｒ）、緑（Ｇ）、青（Ｂ）の各色で発光するＬＥＤ（Light Emitting Diode）１５Ｒ、１５Ｇ、１５Ｂを有する。ＬＥＤ１５Ｒ、１５Ｇ、１５Ｂは、例えば、導光板１５１の一の側面に対向する位置に配置されている。ＬＥＤ１５Ｒ、１５Ｇ、１５Ｂは、バックライト制御回路１６と接続されている。
【００３４】
本実施形態では、表示パネル１１にカラーフィルタを備えておらず、画像表示状態において、フィールドシーケンシャル方式でカラー画像を表示する。つまり、１画面の表示期間すなわち１フレーム期間を分割してできる複数のサブフィールド毎に、ＬＥＤ１５Ｒ、１５Ｇ、１５Ｂを順次点灯させ、異なる色の画面を表示することによって、カラー画像を表示する。
【００３５】
導光板１５１は、表示パネル１１の裏面側に設けられている。導光板１５１は、透明な材料で形成される。導光板１５１において、表示パネル１１の表示画面、すなわち画素が配置される表示エリアと重なる部分は透明である。なお、図１では、光源１５０を導光板１５１の１つの側面に対向する位置に配置しているが、光源１５０を導光板１５１の複数の側面に対向する位置に配置することもできる。
【００３６】
図２Ａ及び図２Ｂは、表示装置１の表示面に垂直な面の断面図である。図２Ａは、バックライト１５を消灯して表示装置１の後方が透けて見える透過領域を含む透過光画像を表示する状態の例を示す。図２Ｂは、光源１５０を点灯してカラー画像を表示する状態の例を示す。
【００３７】
図２Ａ及び図２Ｂに示す例では、表示パネル１１は、バックライト１５と、表示画面に垂直な方向において重なる位置に設けられる。表示パネル１１は、２枚の第１基板２５及び第２基板２２と、これらの間に設けられる液晶２４を有する。第１基板２５の一方の面（例えば、バックライト１５と反対側の面）に、図１に示したゲート線１１０、ソース線１１１、及びスイッチング素子１１３及び画素電極１１４等が設けられる。第１基板２５の他方の面には、偏光板２６が設けられる。第２基板２２の一方の面（例えば、バックライト１５側の面）には、共通電極（図示せず）が形成される。第２基板２２の他方の面には、偏光板２１が設けられる。第１基板２５及び第２基板２２は、例えば、ガラス又は樹脂等の透明材料で形成することができる。
【００３８】
バックライト１５の導光板１５１は、光源１５０からの光の入射面１５ａと、入射面１５ａから入った光源１５０の光を出射する出射面１５ｂとを有する。表示パネル１１は、導光板１５１の出射面１５ｂに重ねて設けられる。すなわち、バックライト１５は、表示パネル１１の一方の面に光を照射する照明部である。
【００３９】
図２Ａに示すように、導光板１５１の出射面１５ｂと対向する面である背面１５ｃにおいて、表示パネル１１の画像が表示される表示エリアすなわち表示画面と重なる領域は、光が透過可能となっている。つまり、バックライト１５において、表示パネル１１の表示画面と重なる部分は光が透過可能になるよう構成される。例えば、バックライト１５において、表示パネル１１の表示エリアと表示画面と垂直な方向において重なる位置に設けられる部材は、透明な材料で形成される。
【００４０】
より具体的には、表示パネル１１の背面には、表示画面に垂直な方向に光が透過可能な導光板１５１が配置される。すなわち、表示パネル１１の背面に光を遮蔽する部材は配置されない。導光板１５１の背面側の部材には、アクリル板等の透明素材が用いられるか、又は、導光板１５１の背面に何も配置しない構成とすることができる。この構成により、表示パネル１１において光が透過するように液晶２４が制御された画素においては、表示装置１の後方から導光板１５１の背面を透過した光が、表示パネル１１の当該画素を通って表示画面の前方へ透過する。
【００４１】
また、図２Ｂに示すように、導光板１５１は、導光板１５１を伝播する光源１５０からの光が、表示パネル１１に対向する出射面１５ｂから表示パネル１１へ向けて出射しやすい構成となっている。例えば、導光板１５１の出射面１５ｂ及び背面１５ｃには、入射した光を反射するドット（図示せず）を所定の間隔で形成することができる。導光板１５１の入射面１５ａから入った光源１５０の光は、導光板１５１内を全反射しながら進む。導光板１５１の背面１５ｃのドットに入射した光源１５０からの光は、ドットに反射され、導光板１５１の出射面１５ｂから表示パネル１１へ向かって出射される。
【００４２】
また、印刷によるドットの代わりに、金型プレス又はレーザー加工により導光板１５１の表面を光が反射しやすい形状に加工することができる。また、導光板１５１の表面の形状による反射を利用する形態に限られず、光を反射しやすい材質によって導光板１５１を形成してもよい。このように、導光板１５１は、内部を進む光を反射して外部に出射する反射構造を備えることができる。
【００４３】
このように、光源１５０の点灯時には、光源１５０から導光板１５１を通って表示パネル１１に照射される光の量が、導光板１５１の背面１５ｃを透過して表示パネル１１に達する光の量に比べて多くなる。そのため、バックライト１５の光源１５０の点灯時には、表示パネル１１は、バックライト１５の光による色が表示され、表示装置１の後方、すなわち、導光板１５１の背面側が透けて見えることがなくなる。一方、光源１５０の消灯時は、表示パネル１１において光が透過するように液晶２４が制御された画素（透過領域）において、表示装置１の後方、つまり、表示面から導光板１５１の背面側が透けて見える。
【００４４】
表示装置１は、検出部２０の検出結果に応じて、表示面から背面側が透けて見える透過状態を示す透過光画像表示モードと、表示面から背面側が透けて見えない画像表示状態を示すカラー画像表示モードのいずれか一方に切り替える。
【００４５】
表示装置１は、カラー画像表示モードでは、光源１５０を点灯し、表示パネル１１において透過領域を含まない所定のカラー画像を表示する。一方、透過光画像表示モードでは、光源１５０を消灯し、表示パネル１１において、透過領域を含む所定のモノトーン画像（透過光画像）を表示する。つまり、透過光画像表示モード時は、表示パネル１１の少なくとも一部の領域に表示装置１の後方が透けて見えるように白色の画像を表示し、他の領域に黒色の画像を表示する。
【００４６】
表示パネル１１は、カラー画像表示モードと、透過光画像表示モードのいずれにおいても、駆動制御回路１４からの信号に基づいて表示パネル１１に入射する光の透過率を画素毎に制御し、画像を表示する。
【００４７】
カラー画像表示モードの場合すなわち、カラー画像を表示する時にバックライト１５を点灯する場合、表示パネル１１は、光源１５０から導光板１５１内を伝播し出射面１５ｂを通って表示パネル１１へ入射する光の透過率を制御することになる。
【００４８】
また、透過光画像表示モードの場合、すなわち、透過光画像を表示する時にバックライト１５を消灯する場合、表示パネル１１は、表示装置１の外側から導光板１５１の背面１５ｃを透過して表示パネル１１へ入射する光の透過率を制御することになる。これにより、透過領域を含む透過光画像を表示することができる。
【００４９】
より具体的には、例えば、カラー画像表示モードでは、光源１５０から照射されるＲＧＢそれぞれの光は、表示パネル１１で調整される透過率に応じた色で表示される。透過光画像表示モードでは、光源１５０は消灯するので、透過率が十分に大きい画素の領域においては、導光板１５１の背面を透過した光が表示画面の前方に出射する。そのため、そのような領域は、透過領域となって表示装置１の背景が透けて見える。これは、例えば、表示装置１の外からの光が背面から透過できる導光板１５１を表示パネル１１の背面に配置することで可能になる。なお、透過領域は、透過率が最も高い画素の領域に限られない。例えば、後方が透けて見える程度の透過率となるように制御された画素の領域も、透過領域に含めることができる。
【００５０】
例えば、カラー画像表示モードで、ＲＧＢ全ての色の透過率が十分に大きい画素（例えば、透過率が最大の画素）の領域は、バックライト１５の光によって白色に表示される。これに対して、透過光画像表示モードでは、透過率が十分に大きい画素では、透明度の高い透過領域となる。そのため、例えば、表示装置１では、画像データにおける「白」を示す階調値の領域は、バックライト点灯時に白色表示となり、バックライト消灯時に透明表示とすることができる。透明表示は、表示装置１の背面が透過して目視できる状態である。これにより、例えば、バックライト点灯時はカラー表示となり、バックライト消灯時は、透明表示の領域と黒（又はグレースケール）の領域とを含むモノトーン表示となる。
【００５１】
表示制御部１０は、検出部２０において観察者が検出されると、検出時から一定時間、透過光画像表示モードで表示パネル１１及びバックライト１５を制御する。一方、検出部２０で観察者が検出されなければ、表示制御部１０は、カラー画像表示モードで表示パネル１１及びバックライト１５を制御する。
【００５２】
具体的には、透過光画像表示モードの場合、表示制御部１０における映像信号入力部１０ａは、透過光画像を示す映像信号を画像処理部１０ｂへ入力する。カラー画像表示モードの場合、映像信号入力部１０ａは、透過領域を含まないカラー画像を示す映像信号を画像処理部１０ｂへ入力する。
【００５３】
図１に戻り、バックライト制御回路１６は、ＬＥＤ１５Ｒ、１５Ｇ、１５Ｂをそれぞれ駆動するバックライト駆動回路（図示略）を含む。ＬＥＤ１５Ｒ、１５Ｇ、１５Ｂのそれぞれは、対応するバックライト駆動回路から入力される点灯時間を指示するパルス信号に基づいて点灯する。
【００５４】
駆動制御回路１４とバックライト制御回路１６は画像処理部１０ｂと接続されている。ここで、画像処理部１０ｂの構成について説明する。
【００５５】
図３は、画像処理部１０ｂの構成例を示す機能ブロック図である。図３に示すように、画像処理部１０ｂは、座標生成部１７１と、判定部１７２と、分離部１７３と、画像データ生成部１７４と、バックライトデータ生成部１７５と、タイミング制御部１７６とを備える。
【００５６】
座標生成部１７１、判定部１７２及び分離部１７３は、入力される映像信号に含まれるバックライト１５の制御情報を検出する回路である。ここでは、１フレーム期間毎に光源１５０を点灯するか否かを制御するための情報を検出する場合について説明する。映像信号には、例えば、複数の画素それぞれのデータ（一例として、各画素のＲＧＢそれぞれの階調値）が含まれる。座標生成部１７１は、入力された画像データにおける各画素の座標（Ｘ，Ｙ）を示すデータを生成する。
【００５７】
座標生成部１７１は、表示パネル１１のゲート線１１０（図１参照）の延伸方向の水平総画素数と、ソース線１１１の延伸方向の垂直総ライン数とを保持するための外部から書き換え可能なレジスタを有する。座標生成部１７１は、入力される映像信号に含まれる画素値（例えば、ＲＧＢの階調値）が入力されるごとに水平カウンタ値を１つ増加させる。水平カウンタ値がＭに等しくなると、次の画素値の入力で垂直カウンタ値を１つ増加させ、水平カウンタ値を０に戻す。座標生成部１７１は、映像信号が示す画像における左上の画素を原点（０，０）とし、水平方向をＸ方向、垂直方向をＹ方向として、入力される画素値の座標（ｘ，ｙ）を設定する。
【００５８】
判定部１７２は、映像信号に含まれる複数の画素のデータのうち、光源１５０の制御情報として用いるデータを特定する。この例では、映像信号における予め決められた特定の座標（一例として、座標（０，０）のデータ）の画素値を、光源１５０の制御情報を示す値すなわちバックライト１５の制御データと特定する。光源１５０の制御データは、ＬＥＤ１５Ｒ、１５Ｇ、１５Ｂの点灯／消灯（非点灯）を示すデータである。判定部１７２は、判定値として、例えば、各座標の値が、表示する画像の階調値か、又は、バックライト１５の制御データかを示す値を、分離部１７３へ入力する。
【００５９】
映像信号に含まれるデータは、画像の表示期間に対応する部分とブランキング期間に対応する部分とを有する場合もある。この場合、ＬＥＤ１５Ｒ、１５Ｇ、１５Ｂの点灯／消灯を制御するデータは、ブランキング期間に対応する部分に含ませることができる。１フレーム期間は、画像表示期間とブランキング期間に分けられる。これに対応して、１フレーム期間の画素値は、画像表示期間に対応する部分とブランキング期間に対する部分とを有する。画像表示期間に対応する部分には、各ＴＦＴ１１３に対応して、各画素の階調値等のデータが含まれる。ブランキング期間に対応する部分には、当該フレーム期間においてＬＥＤ１５Ｒ、１５Ｇ、１５Ｂを点灯させるか否かを示す制御データが含まれる。
【００６０】
分離部１７３は、判定部１７２の判定結果に基づいて、入力される映像信号の各画素値から、表示すべき画像を示す画像データと、バックライト１５の制御データとを分離する。画像データは、画像データ生成部１７４に出力され、バックライト１５の制御データはバックライトデータ生成部１７５に出力される。
【００６１】
画像データ生成部１７４は、１フレームを分割してできる複数のサブフィールドのそれぞれの期間に表示するためのサブフィールド画像データを、入力された画像データに基づいて生成する。この例では、ＲＧＢそれぞれの色の階調値を含む画像データから、フィールドシーケンシャル表示を行うための表示データとして、ＲＧＢそれぞれの色に、混合色Ｗ（白色）を加えたＷＲＧＢのそれぞれの色に対応するサブフィールド画像を生成する。生成されたサブフィールド画像は、タイミング制御部１７６へ出力される。
【００６２】
バックライトデータ生成部１７５は、ＷＲＧＢの各色に対応するサブフィールド期間において、それぞれ対応する色のＬＥＤを発光させるＬＥＤ制御データを生成し、タイミング制御部１７６へ出力する。例えば、バックライトデータ生成部１７５及びタイミング制御部１７６は、Ｗ（白色）に対応するサブフィールド期間ではＬＥＤ１５Ｒ、１５Ｇ、１５Ｂを同時に発光させ、Ｒ（赤色）に対応するサブフィールド期間にはＬＥＤ１５Ｒ、Ｇ（緑色）に対応するサブフィールド期間にはＬＥＤ１５Ｇ、Ｂ（青色）に対応するサブフィールド期間にはＬＥＤ１５Ｂがそれぞれ発光するよう制御する。
【００６３】
また、バックライトデータ生成部１７５は、画素値で示される画像を表示する時に光源１５０の点灯／消灯を表す制御データに基づいて、フレーム毎に、ＬＥＤ１５Ｒ、１５Ｇ、１５Ｂの点灯／消灯を表すバックライトデータを生成する。
【００６４】
具体的には、例えば、座標（０，０）の画素値に含まれるＲＧＢそれぞれの階調値（Ｒ，Ｇ，Ｂ）が閾値より大きい場合は、その画像データを表示するフレーム期間においてＬＥＤ１５Ｒ、１５Ｇ、１５Ｂを点灯させるバックライトデータを生成する。一方、上記階調値（Ｒ、Ｇ、Ｂ）が閾値未満の場合は、そのフレーム期間においてＬＥＤ１５Ｒ、１５Ｇ、１５Ｂを消灯させるバックライトデータを生成する。
【００６５】
階調の最大が２５５階調の場合、例えば、閾値を１２８とし、座標（０，０）の画素値に含まれる階調値が（０，０，０）であれば、バックライトデータ生成部１７５は、ＬＥＤ１５Ｒ、１５Ｇ、１５Ｂに消灯を指示するバックライトデータを生成する。また、座標（０，０）の画素値に含まれる階調値が（２５５，２５５，２５５）であれば、バックライトデータ生成部１７５は、ＬＥＤ１５Ｒ、１５Ｇ、１５Ｂに点灯を指示するバックライトデータを生成する。生成されたバックライトデータは、画像データ生成部１７４及びタイミング制御部１７６へ入力される。
【００６６】
なお、光源１５０の点灯／消灯を表す制御データの検出処理は、上記例に限られない。上記例では、入力された画素値に点灯か否かを示す制御データが含まれる形態であるが、画素値に加えて、この制御データが別途入力されてもよい。例えば、画素値と同時に、又は画素値に対応づけられて点灯／消灯を表す制御データが入力されてもよい。この場合、画像処理部１７は、制御データを、１フレーム期間の画素値と同期させて、又は１フレーム期間の画素値に対応付けて、バックライトデータ生成部１７５又はタイミング制御部１７６へ入力する。
【００６７】
タイミング制御部１７６は、ＷＲＧＢそれぞれのサブフィールド画像の表示と、ＬＥＤ１５Ｒ、１５Ｇ、１５Ｂの点灯とを同期させるためのタイミング制御を行う。タイミング制御部１７６は、ＲＧＢそれぞれの色及びこれらの混合色Ｗを照射するタイミングと、ＷＲＧＢそれぞれのサブフィールド画像を表示するタイミングとを同期させるタイミング制御信号を、駆動制御回路１４（図１参照）及びバックライト制御回路１６（図１参照）に出力する。
【００６８】
図１に戻り、駆動制御回路１４は、タイミング制御部１７６から入力されるＷＲＧＢの各サブフィールド画像とタイミング制御信号とに基づいて、ゲートドライバ１２とソースドライバ１３のそれぞれに対し、表示パネル１１を駆動させるためのタイミング信号等の制御信号を入力する。
【００６９】
バックライト制御回路１６は、ＬＥＤ１５Ｒ、１５Ｇ、１５Ｂのそれぞれを駆動するためのＬＥＤ駆動回路（図示略）を備える。バックライト制御回路１６は、駆動制御回路１４によって、ＷＲＧＢの各色のサブフィールド画像が表示パネル１１に表示されるタイミングに合わせて、ＬＥＤ１５Ｒ、１５Ｇ、１５Ｂの発光色を切り替える。つまり、バックライト制御回路１６は、タイミング制御部１７６から入力されるタイミング制御信号に基づいて、ＬＥＤ１５Ｒ、１５Ｇ、１５Ｂに対応する各ＬＥＤ駆動回路（図示略）により、ＬＥＤ１５Ｒ、１５Ｇ、１５Ｂの点灯と消灯を制御する。
【００７０】
ここで、カラー画像表示モードでフィールドシーケンシャル表示を行う際の映像信号の入力、サブフィールド画像の表示、及びＬＥＤ１５Ｒ、１５Ｇ、１５Ｂの点灯タイミングについて説明する。図４は、６０Ｈｚで１フレームごとに映像信号が入力される場合のタイミングチャートである。
【００７１】
映像信号が６０Ｈｚで入力される場合、１フレームは、Ｗ、Ｒ、Ｇ、Ｂの各色に対応する４つのサブフィールド期間（第１〜第４のサブフィールド期間）に分割される。この場合、１つのサブフィールド期間の周波数は２４０Ｈｚとなる。
【００７２】
第１サブフィールド期間では、駆動制御回路１４は、ゲートドライバ１２とソースドライバ１３に、混合色Ｗのサブフィールド画像のデータに基づく信号を表示パネル１１に出力させ、バックライト制御回路１６は、ＬＥＤ１５Ｒ、１５Ｇ、１５Ｂを同時に発光させる。これにより、混合色Ｗすなわち白色の光が表示パネル１１に照射される。このようにして、第１サブフィールド期間に、Ｗ（白）フィールドが表示される。第２サブフィールド期間に、ＬＥＤ１５Ｒが発光してＲ（赤）フィールドが表示され、第３サブフィールド期間にＬＥＤ１５Ｇが発光してＧ（緑）フィールドが表示され、第４サブフィールド期間に、ＬＥＤ１５Ｂの光源が発光してＢ（青）フィールドが表示される。
【００７３】
上記のフィールドシーケンシャル表示は、カラー画像表示モードで行われる。透過光画像表示モードでは、ＬＥＤ１５Ｒ、１５Ｇ、１５Ｂは消灯したまま、ＷＲＧＢの各色に対応するサブフィールド画像が１フレーム期間に順次表示される。これにより、透過光画像表示モードでは、各画素において、最も透過率の高い階調（全透明）と、最も透過率の低い階調（黒）との間のいずれかの階調に対応する透過率で画像が表示される。そのため、透過光画像表示モードでは、透過領域を含む白黒画像（全透明−黒画像）が表示される。表示装置１は、透過光画像表示モードにおいて、例えば、全透明と黒との間のグレースケールの画像を表示することができる。或いは、表示装置１は、全透明と黒のみの画素を含んだ２値画像を表示することもできる。
【００７４】
光源１５０の消灯時の透過光画像表示モードにおいて、例えば、入力される映像信号の画像データを２値画像とすることで２値画像を表示することができる。或いは、入力された画像データを、画像処理部１０ｂで２値画像に変換することで、２値画像を表示することもできる。後者の場合は、画像データの処理が、カラー画像表示モードの場合と、透過光画像表示モードの場合とで異なるよう、画像処理部１０ｂを構成する。この場合、例えば、画像処理部１０ｂは、画像データに基づいてカラー画像を表示するための画像データを生成するカラー画像生成部と、画像データに基づいて、透明と黒の２値画像を生成する２値画像生成部と、ＬＥＤ１５Ｒ、１５Ｇ、１５Ｂの点灯を制御するデータに基づいて、カラー画像生成部の画像データ出力と２値画像生成部の画像データ出力とを切り替える切り替え部とを有する構成とすることができる。
【００７５】
（表示装置１の動作）
図５は、本実施形態における表示装置１の画像表示処理の動作を示すフローチャートである。また、図６Ａ及び６Ｂは、表示装置１の利用態様を例示した模式図である。以下、図５、図６Ａ及び図６Ｂを参照し、表示装置１の動作について説明する。
【００７６】
図６Ａに示すように、この例では、ショーケース２００の前面パネル（図示略）の裏面側に表示装置１の表示パネル１１が設けられる。図６Ａの例では、カラー画像表示モードで表示パネル１１にカラー画像２１０が表示されている状態を示しており、この状態において、表示面側からショーケース２００の内部を視認することはできない。
【００７７】
図５において、表示装置１は、電源（図示略）がオンにされている状態において、表示制御部１０により、カラー画像表示モードで表示パネル１１及び光源１５０を駆動する。すなわち、表示装置１は、光源１５０を点灯し、図６Ａに示すカラー画像を表示パネル１１に表示する。そして、検出部２０により、表示画面を観察する観察者の有無の検出を開始する（ステップＳ１）。カラー画像表示モードで表示すべきカラー画像の基となる画像データは、予め表示装置１内に記憶されていてもよいし、表示装置１と接続された外部記憶装置等に記憶され、カラー画像表示モードに切り替える際、外部記憶装置等から表示制御部１０が取得してもよい。
【００７８】
表示装置１は、検出部２０において観察者が検出されるまで（ステップＳ２：Ｎｏ）、光源１５０を点灯し、図６Ａに示すカラー画像を表示パネル１１に表示する。表示装置１は、検出部２０において観察者が検出されると（ステップＳ２：Ｙｅｓ）、表示制御部１０により、一定時間が経過するまで、透過光画像表示モードに切り替え、光源１５０を消灯して表示パネル１１に透過光画像を表示する（ステップＳ３、ステップＳ４：Ｎｏ）。
【００７９】
図６Ｂは、透過光画像の表示例を示す模式図である。図６Ｂに示すように、この例では、表示パネル１１の一部の画素領域２２１には、最も透過率の低い階調（黒）に対応する画像が表示され、他の画素領域２２２には、最も透過率の高い階調（全透明）に対応する画像が表示される。画素領域２２２は透明であるため、ショーケース２００の内部に配置された商品３００が表示面側から透けて見える。そのため、ショーケース２００の周囲にいる観察者は、ショーケース２００内の商品３００を視認することができる。
【００８０】
なお、画素領域２２１に表示される黒色の画像は、例えば商品３００に関連する文字や図形等で構成されていてもよい。また、画素領域２２１に表示する画像の基となる画像データは、表示装置１内に予め記憶されていてもよいし、表示装置１と接続された外部記憶装置等に記憶され、透過光画像表示モードに切り替える際、外部記憶装置等から取得してもよい。また、この例では、表示エリアの一部の画素領域２２１に黒色の画像を表示し、他の画素領域２２２は透明に表示されているが、全ての画素領域が透明に表示されていてもよい。図６Ａ及び６Ｂに示す例において、特に、透明表示する画素領域は、ショーケース２００内の商品３００を表示面側から観察可能な範囲であることが好ましい。
【００８１】
表示装置１は、透過光画像表示モードに切り替えてから一定時間が経過すると、電源がオフにされるまでステップＳ１以下の処理を繰り返し（ステップＳ４：Ｙｅｓ、ステップＳ５：Ｎｏ）、電源がオフにされると画像表示処理を終了する（ステップＳ５：Ｙｅｓ）。
【００８２】
上述した実施形態では、表示装置１において、周囲に観察者が検出されるまでカラー画像が表示され、観察者が検出されると透過領域を含む透過光画像が表示され、表示装置１の背面側が透けて見える。そのため、ショーケースや自動販売機等のディスプレイとして表示装置１が設けられる場合、ショーケースや自動販売機等の内部の商品を周囲の観察者に対して効果的に見せることができ、広告宣伝効果を向上させることができる。
【００８３】
＜第２実施形態＞
上述した第１実施形態では、検出部２０で観察者が検出されていない期間に、カラー画像表示モードで表示パネル１１及びバックライト１５を制御する例を説明したが、カラー画像表示モードと透過光画像表示モードとを交互に切り替えるようにしてもよい。
【００８４】
つまり、上述した第１実施形態の図５のステップＳ１において、所定時間（所定フレーム）ごとに、カラー画像表示モードと透過光画像表示モードとを切り替え、図６Ａに示すカラー画像２１０と、図６Ｂに示す透過光画像（画像２２１及び画像２２２）とを交互に表示してもよい。
【００８５】
なお、この例では、カラー画像表示モードと透過光画像モードとでそれぞれ異なる画像データに基づくカラー画像と透過光画像をそれぞれ表示したが、同じ画像データに基づくカラー画像と透過光画像が表示されてもよい。この場合におけるカラー画像表示モードと透過光画像表示モードの表示態様を図７Ａ及び図７Ｂに示す。
【００８６】
図７Ａは、カラー画像表示モードで表示されるカラー画像を例示した模式図である。図７Ａにおいて、表示パネル１１に表示されるカラー画像のうち、例えば、領域２３１は赤色、領域２３２は青色、領域２３３は白色で表示される。
【００８７】
また、図７Ｂは、透過光画像表示モードで表示される透過光画像を例示した模式図である。図７Ｂにおいて、表示パネル１１に表示される透過光画像は、領域２３１と２３２はそれぞれ、映像信号に含まれる各領域のＲＧＢの階調値に対応するグレースケールで表示され、領域２３３は透明になる。なお、上記白色の階調値と透明の階調値はいずれも、ＲＧＢの全ての色で透過率が最も高くなる階調値に相当する。つまり、領域２３３は、光源１５０が点灯したカラー画像表示モードでは白色で表示されるが、光源１５０が消灯した透過光画像表示モードでは透明となり、ショーケース２００内部の商品３００が透けて見える。
【００８８】
このように、観察者が検出されていない期間に、カラー画像表示モードと透過光画像表示モードとを一定時間ごとに切り替え、カラー画像と透過光画像とを交互に表示することにより、カラー画像のみを表示している場合と比べ、表示装置１の周囲の注意を引きつけやすい。
【００８９】
なお、本実施形態では、観察者が検出されていない期間は、一定時間ごとにカラー画像表示モードと透過光画像表示モードとを交互に切り替えるが、検出部２０において観察者が検出された場合、表示装置１は、少なくとも、観察者の検出前に透過光画像表示モードで表示を行っていた時間よりも長く透過光画像表示モードでの表示を行うようにしてもよい。このように構成することにより、観察者に対してショーケース２００内の商品を見せる時間がより長くなり、広告宣伝効果を高めることができる。
【００９０】
以上、本発明に係る表示装置の一例について説明したが、本発明に係る表示装置は、上述した実施形態の構成に限定されず、様々な変形構成とすることができる。
（１）上述した実施形態では、カラー画像表示モードと透過光画像表示モードにおけるサブフィールド画像の生成処理方法が同じである例を説明したが、カラー画像表示モードと透過光画像表示モードとでサブフィールド画像の生成処理を異ならせてもよい。
【００９１】
図８は、本変形例における画像データ生成部１７４の構成例を示すブロック図である。図８に示す例では、画像データ生成部１７４は、カラー画像表示モードで光源１５０を点灯して表示する画像のサブフィールド画像を生成する第１生成部４４１と、透過光画像表示モードで、光源１５０を消灯して表示する画像のサブフィールド画像を生成する第２生成部４４２とを有する。また、画像データ生成部１７４は、バックライト制御データに基づいて、第１生成部４４１又は第２生成部４４２のいずれのサブフィールド画像を表示データとして出力するかを判断する表示データ判定部４４３と、表示データ判定部４４３の判断に基づいて、表示データとして出力するサブフィールド画像を選択する選択部４４４を備える。
【００９２】
第１生成部４４１は、入力された映像信号Ｖ１のＲＧＢ各色の階調値に基づいて、ＲＧＢを混合した混合色Ｗ（白色）に対応するサブフィールド画像を生成する。さらに、第１生成部４４１は、入力された映像信号Ｖ１のＲＧＢの各色の階調値に基づいて、ＲＧＢ各色に対応するサブフィールド画像を生成する。その際、第１生成部４４１は、映像信号に含まれるＲＧＢの各色の階調値を、混合色Ｗのサブフィールド画像の階調値に応じて変更したものを、ＲＧＢの各色のサブフィールド画像の階調値とすることができる。
【００９３】
第２生成部４４２は、入力された映像信号のＲＧＢ各色の階調値に基づいて、ＲＧＢを混合した混合色Ｗ（白色）に対応するサブフィールド画像を生成する。さらに、第２生成部４４２は、入力された映像信号Ｖ１のＲＧＢの各色の階調値に基づいて、ＲＧＢの各色に対応するサブフィールド画像を生成する。その際、第２生成部４４２は、映像信号に含まれるＲＧＢの各色の階調値を、各色に対応するサブフィールド画像の階調とすることができる。すなわち、第２生成部４４２は、映像信号Ｖ１におけるＲＧＢの各色の階調値に、混合色Ｗのサブフィールド画像の階調値に応じた変更を加えない構成とすることができる。
【００９４】
具体例として、第１生成部４４１は、入力された映像信号Ｖ１のＲＧＢの階調値（Ｒｉｎ、Ｇｉｎ、Ｂｉｎ）に対して、下記のように表示データのＷＲＧＢに対応する階調値（Ｗｏｕｔ、Ｒｏｕｔ、Ｇｏｕｔ、Ｂｏｕｔ）を決定することができる。下記において、ｍｉｎ（Ｒｉｎ、Ｇｉｎ、Ｂｉｎ）は、ＲＧＢの階調値（Ｒｉｎ、Ｇｉｎ、Ｂｉｎ）のうち最も低い透過率を表す階調値を示す。
Ｗｏｕｔ=ｍｉｎ（Ｒｉｎ，Ｇｉｎ，Ｂｉｎ）
Ｒｏｕｔ=Ｒｉｎ−Ｗｏｕｔ
Ｇｏｕｔ=Ｇｉｎ−Ｗｏｕｔ
Ｂｏｕｔ=Ｂｉｎ−Ｗｏｕｔ
【００９５】
すなわち、第１生成部４４１は、入力された映像信号Ｖ１における各画素の階調値（Ｒｉｎ、Ｇｉｎ、Ｂｉｎ）を比較して、各画素において最も低い階調値ｍｉｎ（Ｒｉｎ、Ｇｉｎ、Ｂｉｎ）を決定し、これを混合色Ｗの階調値Ｗｏｕｔとする。なお、ここで、ｍｉｎ（Ｒｉｎ、Ｇｉｎ、Ｂｉｎ）よりさらに低い階調値を、混合色Ｗの階調値Ｗｏｕｔとすることもできる。第１生成部４４１は、映像信号Ｖ１における各画素のＲＧＢの階調値（Ｒｉｎ、Ｇｉｎ、Ｂｉｎ）から混合色Ｗの階調値Ｗｏｕｔを引いた値を、ＲＧＢ各色のサブフィールドの階調値として算出する。
【００９６】
第２生成部４４２は、入力された映像信号Ｖ１のＲＧＢの階調値（Ｒｉｎ、Ｇｉｎ、Ｂｉｎ）に対して、下記のように表示データのＷＲＧＢに対応する階調値（Ｗｏｕｔ、Ｒｏｕｔ、Ｇｏｕｔ、Ｂｏｕｔ）を決定することができる。
Ｗｏｕｔ＝ｍｉｎ（Ｒｉｎ，Ｇｉｎ，Ｂｉｎ）
Ｒｏｕｔ＝Ｒｉｎ
Ｇｏｕｔ＝Ｇｉｎ
Ｂｏｕｔ＝Ｂｉｎ
【００９７】
すなわち、第２生成部４４２は、入力された映像信号Ｖ１における各画素の階調値（Ｒｉｎ、Ｇｉｎ、Ｂｉｎ）において最も低い階調値ｍｉｎ（Ｒｉｎ、Ｇｉｎ、Ｂｉｎ）を混合色Ｗの階調値Ｗｏｕｔとする。ここで、第２生成部４４２は、入力された映像信号Ｖ１におけるＲＧＢ各色の階調値（Ｒｉｎ、Ｇｉｎ、Ｂｉｎ）を、各色に対応するサブフィールド画像の階調値（Ｗｏｕｔ、Ｒｏｕｔ、Ｇｏｕｔ、Ｂｏｕｔ）とする。すなわち、ＲＧＢの階調値（Ｒｉｎ、Ｇｉｎ、Ｂｉｎ）を、混合色Ｗの階調値Ｗｏｕｔに応じて変更する処理を実行しない。
【００９８】
表示データ判定部４４３は、映像信号Ｖ１及びバックライトデータ生成部１７５が生成したバックライトデータに基づいて、第１生成部４４１と第２生成部４４２のいずれのサブフィールド画像を表示データとして出力するかを判断する。一例として、光源１５０を消灯して表示する画像において、各ＲＧＢの階調値が予め決められた閾値を越える画素のサブフィールド画像は、第２生成部４４２で生成された階調値を用いると判断することができる。例えば、下記の場合に、第２生成部４４２で算出された階調値を用いると判断される。
Ｒｉｎ＞Ｒ＿ｔｈｒｅｓｈｏｌｄ、且つＧｉｎ＞Ｇ＿ｔｈｒｅｓｈｏｌｄ、且つＢｉｎ＞Ｂ＿ｔｈｒｅｓｈｏｌｄ、且つバックライト消灯時
【００９９】
ここで、Ｒ＿ｔｈｒｅｓｈｏｌｄ、Ｇ＿ｔｈｒｅｓｈｏｌｄ及びＢ＿ｔｈｒｅｓｈｏｌｄは、ＲＧＢの各色について予め決められた閾値である。なお、表示データ判定部４４３は、これらのＲＧＢ各色の階調値（Ｒｉｎ、Ｇｉｎ、Ｂｉｎ）について閾値との比較を行わず、単に、光源１５０の消灯か否かのみに基づいて、上記判断を行ってもよい。
【０１００】
選択部４４４は、表示データ判定部４４３の判断に従って、第１生成部４４１の階調値を出力するか、第２生成部４４２の階調値を出力するかを選択する。この例では、各画素について、第１生成部４４１又は第２生成部４４２の階調値が選択されて出力される。なお、表示データ判定部４４３及び選択部４４４の構成はこの例に限られない。例えば、光源１５０の点灯又は消灯のみに基づいて、１フレーム期間の画像ごとに、第１生成部４４１又は第２生成部４４２のいずれかのサブフィールド画像を選択して出力することもできる。
【０１０１】
上記構成によれば、光源１５０を点灯してカラー画像を表示するカラー画像表示モードでは、混合色Ｗのサブフィールドが挿入され、これに応じてＲＧＢのサブフィールドの階調が変更されるので、色割れ（カラーブレークアップ）を低減することができる。光源１５０を消灯して表示する透過光画像表示モードで、これと同様に、ＲＧＢのサブフィールド画像の階調を変更すると、透明度が低下してしまう場合がある。そのため、透過光画像表示モードでは、ＲＧＢサブフィールドの階調値の変更は行わない構成とすることで、透明表示の画素の透明度を確保することができる。
【０１０２】
例えば、ＲＧＢをそれぞれ８ｂｉｔで表現したとき、白（Ｒ，Ｇ，Ｂ）＝（２５５，２５５，２５５）を透明表示とする場合、従来方式の混合色Ｗに対応するサブフィールド画像の挿入を行うと、ＲＧＢサブフィールド画像では“０”階調となり、光源１５０の消灯時の透明度が低下する。また、混合色Ｗのサブフィールドの挿入時でも、ＲＧＢサブフィールドを“２５５”階調のままとすると、光源１５０を点灯してカラー表示を行う際、色割れが発生しやすくなる。そこで、上記例では、光源１５０の点灯時は、色割れ対策を優先する方法でＷＲＧＢのサブフィールドのデータ生成（第１生成部４４１）を行い、バックライト消灯時は，透明度を優先する方法でＷＲＧＢサブフィールドのデータ生成（第２生成部４４２）を行う。
【０１０３】
なお、カラー画像表示モード及び透過光画像表示モードそれぞれに適したサブフィールド画像の生成は、上記例に限られない。例えば、第１生成部４４１及び第２生成部４４２は、上記のｍｉｎ（Ｒｉｎ、Ｇｉｎ、Ｂｉｎ）よりさらに低い階調値を、混合色Ｗの階調値とすることもできる。また、第２生成部４４２は、入力された映像信号Ｖ１のＲＧＢの階調値に他の補正を加えたものをサブフィールド画像の階調値とすることもできる。
【０１０４】
また、カラー画像表示モードと透過光画像表示モードでサブフィールド画像の生成処理を異ならせる形態の他の変形例として、例えば、１フレーム期間におけるサブフィールドの数、すなわち１フレーム期間の分割数を、カラー画像表示モードと透過光画像表示モードとで異ならせることができる。例えば、透過光画像表示モードでは、１フレーム期間においてバックライト１５は消灯したままなので、サブフィールドを、１又は２つだけにすることもできる。この場合、サブフィールド画像の階調値は、入力された映像信号Ｖ１のＲＧＢの階調値に基づいて決定することができる。
【０１０５】
（２）上述した実施形態では、フィールドシーケンシャル方式の表示装置１の場合について説明したが、カラーフィルタを備える表示装置にも、本発明を適用することができる。この場合、透過光画像表示モードでは、透過領域を含むカラー画像を表示することができる。図９は、カラーフィルタ方式の表示装置１Ａの構成例を示す断面図である。
【０１０６】
図９に示す例では、第２基板２２の一方の面（本例では、液晶２４側の面）に、カラーフィルタ２３と共通電極（図示せず）が設けられる。第１基板２５においては、図１に示すゲート線Ｇ１〜Ｇｍの延びる方向又はソース線Ｓ１〜Ｓｎの延びる方向に並ぶ３つの画素電極１１４は、それぞれ、赤（Ｒ）サブ画素、緑（Ｇ）サブ画素、青（Ｂ）サブ画素として機能する。これら３つの画素電極１１４は、１つのカラー画素に対応する。表示パネル１１に含まれる（ｍ×ｎ）の画素電極１１４は、（ｍ×ｎ／３）のカラー画素に対応する。バックライト２５の光源２５０は、白色光を照射するものとすることができる。光源２５０として、例えば、ＲＧＢ３色の発光ダイオード（ＬＥＤ）、又は冷陰極管（ＣＣＦＬ：Cathode Fluorescent Lamp）等を設けることができる。その他の表示装置１Ａの構成は、上記第１実施形態と同様にすることができる。
【０１０７】
（３）上述した実施形態では、エッジライト型のバックライト１５を例に説明したが、エッジライト型のバックライト１５に替えて、直下型のバックライトを用いてもよい。図１０は、直下型のバックライト３５を用いた表示装置の構成例を示す断面図である。図１０に示す例では、バックライト３５の表示パネル１１の表示エリアに重なる部分は透明である。バックライト３５は、透明な光源と透明な基板を用いて構成される。透明な光源として、例えば、有機ＥＬ（Electroluminescence）又は無機ＥＬを用いることができる。また、透明表示のための光が透過する程度に薄く小さいＬＥＤをガラスやプラスチックなどの基板上に多数配置して、ほぼ透明なＬＥＤバックライトを構成することもできる。透明な基板の構成としては、例えば、基板自身が透明な材料で形成される構成、及び、基板を薄膜（例えば、厚さ数ｎｍ以下）で構成して光が透過可能とする構成等が挙げられる。このように、表示パネル１１の表示エリアに重なる部分が透明な直下型バックライト３５を用いてもよい。
【０１０８】
（４）上述した実施形態では、観察者の検出に測距センサーを用いる例を説明したが、観察者を検出する構成はこれに限定されない。例えば、表示装置１において、表示画面の周囲を撮影するカメラを備え、周知の顔認識技術を用いてカメラで撮影された画像を解析し、表示画面を見ている観察者の有無を検出してもよい。
【０１０９】
（５）本発明を適用できる表示装置は、液晶表示装置に限られない。表示パネルの一方の面に光を照射する照明部を備え、表示画面の後方を透けて見せる機能を有する他の表示装置（液晶表示装置以外の表示装置）にも、本発明を適用することができる。例えば、２次元状に配置され、光を通過させるオン状態と、光を遮断するオフ状態を画素ごとに制御可能な複数のシャッター素子を含む表示パネルと、バックライトとを備え、１フレーム期間において複数回、画像データの各ビットに応じてシャッター素子のオン状態とオフ状態を切り替える表示装置にも適用することができる。
【０１１０】
（６）上述した実施形態では、カラー画像表示モードと透過光画像表示モードのいずれにおいても、各モードの映像信号に含まれる特定座標（０，０）の画素値に基づいてバックライトを制御したが、観察者が検出された場合、特定座標（０，０）の画素値を用いずに、バックライト制御回路１６が、ＬＥＤ１５Ｒ，１５Ｇ，１５Ｂを消灯させてもよい。この場合には、例えば、検出部２０の検出結果をバックライト制御回路１６に入力してもよいし、表示制御部１０からバックライト制御回路１６に透過光画像表示モードか否かを示す信号を入力してもよい。
【符号の説明】
【０１１１】
１…表示装置、１０…表示制御部、１０ａ…映像信号入力部、１０ｂ…画像処理部、１１…表示パネル、１２…ゲートドライバ、１３…ソースドライバ、１４…表示制御回路、１５，２５，３５…バックライト、１５Ｒ，１５Ｇ，１５Ｂ…ＬＥＤ、１６…バックライト制御回路、２０…検出部、１５０…光源、１５１…導光板、１７１…座標生成部、１７２…判定部、１７３…分離部、１７４…画像データ生成部、１７５…バックライトデータ生成部、１７６…タイミング制御部、４４１…第１生成部、４４２…第２生成部、４４３…表示データ判定部、４４４…選択部
【図１】
2019128553.tif 000003
【図２Ａ】
2019128553.tif 000004
【図２Ｂ】
2019128553.tif 000005
【図３】
2019128553.tif 000006
【図４】
2019128553.tif 000007
【図５】
2019128553.tif 000008
【図６Ａ】
2019128553.tif 000009
【図６Ｂ】
2019128553.tif 000010
【図７Ａ】
2019128553.tif 000011
【図７Ｂ】
2019128553.tif 000012
【図８】
2019128553.tif 000013
【図９】
2019128553.tif 000014
【図１０】
2019128553.tif 000015